(57)【特許請求の範囲】
【請求項１】
紙葉類を１枚ずつ繰り出すための紙葉類繰出機構であって、
繰り出されるべき紙葉類が積層状態で載置される載置部と、
前記載置部に載置された紙葉類を繰り出す繰出部と、
前記載置部の下方に設けられ、当該載置部に載置された紙葉類から落下した異物を受けるための異物受け部と、
を備え、
前記載置部は、繰り出されるべき紙葉類が載置されたときに当該紙葉類の下方の面の一部分であって紙葉類の幅方向における両端縁の近傍の箇所にそれぞれ接するよう少なくとも２つ設けられており、
前記少なくとも２つの載置部は、少なくとも硬貨の直径よりも大きな距離だけ隔てて設けられている、紙葉類繰出機構。
【請求項２】
前記繰出部は循環ベルトからなり、
当該循環ベルトは、前記載置部に載置された紙葉類を全て繰り出した後、紙葉類の繰出方向とは逆方向に回転するようになっている、請求項１記載の紙葉類繰出機構。
【請求項３】
前記異物受け部は、紙葉類が投入される紙葉類投入口の底面に形成されている、請求項１または２記載の紙葉類繰出機構。
【請求項４】
請求項１乃至３のいずれか一項に記載された紙葉類繰出機構を備えた、紙葉類処理装置。
【発明の詳細な説明】
【技術分野】
【０００１】
本発明は、紙葉類処理装置の筐体の外部から内部に紙葉類を１枚ずつ繰り出すための紙葉類繰出機構およびこのような紙葉類繰出機構を備えた紙葉類処理装置に関する。
【背景技術】
【０００２】
従来から、紙幣、小切手、商品券等の紙葉類の少なくとも入金処理を行う紙葉類処理装置において、筐体の外部から内部に紙葉類を繰り出すための紙葉類繰出機構に誤って流入した硬貨やクリップ等の異物が内部の繰出部に入り込むのを防止するための方法として様々な方法が知られている。例えば、特許文献１に開示される発明では、集積された複数の紙幣を１枚ずつ分離するゲート部に硬貨が噛み込まないようにするために、Ｖ字状に折れ曲がった紙幣を受け入れることができる支持プレートおよびガイドプレートをゲート部の近傍に設置し、支持プレートとガイドプレートとの間の隙間の大きさを硬貨の厚さよりも小さくならないようにしている。
【先行技術文献】
【特許文献】
【０００３】
【特許文献１】特開平０６−２３１３３７号公報
【発明の概要】
【発明が解決しようとする課題】
【０００４】
しかしながら、特許文献１に開示されるような従来の硬貨流入防止装置では、集積された紙幣を順次繰り出す際に、紙幣の間に挟まれていた硬貨がプレート上に載置されたときにゲート部付近で硬貨が滞留し続けることになってしまう。このような状態になると、ゲート部付近で滞留し続けている硬貨が、ゲート部に進入しようとする紙幣の邪魔となり、滞留中の硬貨がプレート上から取り除かれるまで紙幣の繰出動作を再開することができないため、紙幣の繰出動作にかかる処理時間が長くなってしまうという問題があった。
【０００５】
本発明は、このような点を考慮してなされたものであり、紙葉類の間に硬貨やクリップ等の異物が挟まれていた場合でも当該異物は載置部が設けられていない箇所に落下するようになり、異物を取り除かなくても紙葉類の繰出動作を続行することができるため処理時間を短縮することができる紙葉類繰出機構および紙葉類処理装置を提供することを目的とする。
【課題を解決するための手段】
【０００６】
本発明の紙葉類繰出機構は、紙葉類を１枚ずつ繰り出すための紙葉類繰出機構であって、繰り出されるべき紙葉類が積層状態で載置される載置部と、前記載置部に載置された紙葉類を繰り出す繰出部と、前記載置部の下方に設けられ、当該載置部に載置された紙葉類から落下した異物を受けるための異物受け部と、を備え、前記載置部は、繰り出されるべき紙葉類が載置されたときに当該紙葉類の下方の面の一部分であって紙葉類の幅方向における両端縁の近傍の箇所にそれぞれ接するよう少なくとも２つ設けられており、前記少なくとも２つの載置部は、少なくとも硬貨の直径よりも大きな距離だけ隔てて設けられていることを特徴とする。
【０００７】
このような紙葉類繰出機構によれば、繰り出されるべき紙葉類が積層状態で載置される載置部は、繰り出されるべき紙葉類が載置されたときに当該紙葉類の下方の面の一部分に接するよう構成されているため、紙葉類処理装置の筐体の外部から内部に繰り出されるべき紙葉類が載置部に積層状態で載置されたときに当該紙葉類の間に挟まれていた硬貨やクリップ等の異物は載置部が設けられていない箇所に落下する。このことにより、異物を取り除かなくても紙葉類の繰出動作を続行することができるため処理時間を短縮することができる。
【００１７】
本発明の紙葉類繰出機構においては、前記繰出部は循環ベルトからなり、当該循環ベルトは、前記載置部に載置された紙葉類を全て繰り出した後、紙葉類の繰出方向とは逆方向に回転するようになっていてもよい。
また、前記異物受け部は、紙葉類が投入される紙葉類投入口の底面に形成されていてもよい。
【００１８】
本発明の紙葉類処理装置は、上記の紙葉類繰出機構を備えたことを特徴とする。
【発明の効果】
【００１９】
本発明の紙葉類繰出機構および紙葉類処理装置によれば、紙葉類処理装置の筐体の外部から内部に繰り出されるべき紙葉類が載置部に積層状態で載置されたときに当該紙葉類の間に挟まれていた硬貨やクリップ等の異物は載置部が設けられていない箇所に落下するようになり、このため異物を取り除かなくても紙葉類の繰出動作を続行することができるため処理時間を短縮することができる。
【図面の簡単な説明】
【００２０】
【図１】本発明の実施の形態による貨幣処理システムの構成を示す斜視図である。
【図２】図１に示す貨幣処理システムにおける紙幣処理装置の内部構成を示す構成図である。
【図３】図２に示す紙幣処理装置の紙幣入金口に設けられた紙幣繰出機構の構成を示す側面図であって、紙幣繰出機構の載置部に複数の紙幣が積層状態で載置されたときの状態を示す図である。
【図４】図２に示す紙幣処理装置の紙幣入金口に設けられた紙幣繰出機構の構成を示す側面図であって、紙幣繰出機構の載置部に１枚の紙幣が載置されたときの状態を示す図である。
【図５】図３等に示す紙幣繰出機構を上方から見たときの構成を示す上面図である。
【図６】図３等に示す紙幣繰出機構を紙幣処理装置の筐体の手前側から見たときの構成を示す前面図である。
【図７】図３等に示す紙幣繰出機構における、載置部に載置された紙幣を繰出ベルト側に向かって押圧する押圧板、および紙幣の誤挿入を防止するための誤挿入防止板の構成を示す斜視図である。
【図８】図３等に示す紙幣繰出機構における繰出ベルト、押圧板および誤挿入防止板の構成を示す側面図であって、載置部に載置された紙幣が全て繰出ベルトにより繰り出された後の状態を示す図である。
【図９】図３等に示す紙幣繰出機構における繰出ベルト、押圧板および誤挿入防止板の構成を示す側面図であって、載置部に複数の紙幣が積層状態で載置されたときの状態を示す図である。
【図１０】図３等に示す紙幣繰出機構における繰出ベルト、押圧板および誤挿入防止板の構成を示す側面図であって、押圧板および誤挿入防止板が上方の退避位置に退避しているときの状態を示す図である。
【図１１】図２に示す紙幣処理装置の紙幣出金口の構成を示す側面図である。
【図１２】図１に示す貨幣処理システムにおける制御系の構成を示す機能ブロック図である。
【発明を実施するための形態】
【００２１】
以下、図面を参照して本発明の実施の形態について説明する。図１乃至図１２は、本実施の形態による紙幣繰出機構およびこのような紙幣繰出機構を備えた紙幣処理装置を示す図である。このうち、図１は、本実施の形態による貨幣処理システムの構成を示す斜視図であり、図２は、図１に示す貨幣処理システムにおける紙幣処理装置の内部構成を示す構成図である。また、図３および図４は、図２に示す紙幣処理装置の紙幣入金口に設けられた紙幣繰出機構の構成を示す側面図であり、図５は、図３等に示す紙幣繰出機構を上方から見たときの構成を示す上面図であり、図６は、図３等に示す紙幣繰出機構を紙幣処理装置の筐体の手前側から見たときの構成を示す前面図である。また、図７は、図３等に示す紙幣繰出機構における、載置部に載置された紙幣を繰出ベルト側に向かって押圧する押圧板、および紙幣の誤挿入を防止するための誤挿入防止板の構成を示す斜視図であり、図８乃至図１０は、図３等に示す紙幣繰出機構における繰出ベルト、押圧板および誤挿入防止板の構成を示す側面図である。また、図１１は、図２に示す紙幣処理装置の紙幣出金口の構成を示す側面図である。また、図１２は、図１に示す貨幣処理システムにおける制御系の構成を示す機能ブロック図である。
【００２２】
まず、図１を用いて本実施の形態による貨幣処理システム１０の全体構成について説明する。図１に示すように、本実施の形態による貨幣処理システム１０は略直方体形状の筐体１２を有しており、当該貨幣処理システム１０において紙幣処理装置２０および硬貨処理装置８０が並列に配設されている。より詳細には、本実施の形態による貨幣処理システム１０を正面側から見て左側に紙幣処理装置２０が配置されているとともに右側に硬貨処理装置８０が配置されている。ここで、紙幣処理装置２０は、紙幣の入出金処理等を行う紙幣入出金装置であり、硬貨処理装置８０は、硬貨の入出金処理等を行う硬貨入出金装置である。
【００２３】
図１に示すように、紙幣処理装置２０の前面には上方から順に紙幣入金口２２および紙幣出金口２４が設けられている。また、紙幣処理装置２０の前面において紙幣出金口２４の下方には紙幣収納カセット３０が貨幣処理システム１０の筐体１２に対して着脱自在に設置されている。このような紙幣収納カセット３０は紙幣処理装置２０の高さ方向における中間位置に配置されている。また、紙幣処理装置２０の前面において紙幣収納カセット３０の更に下方には出金リジェクト部３４が設けられている。
【００２４】
また、図１に示すように、硬貨処理装置８０の前面上部には硬貨入金口８２が設けられており、この硬貨処理装置８０の前面中段には硬貨出金ボックス８４が貨幣処理システム１０の筐体１２に対して着脱自在に設置されている。ここで、紙幣処理装置２０の筐体の外部から内部に紙幣を投入するための紙幣入金口２２と、硬貨処理装置８０の筐体の外部から内部に硬貨を投入するための硬貨入金口８２とが、貨幣処理システム１０の高さ方向における略同一位置に配置されている。
【００２５】
また、図１に示すように、貨幣処理システム１０の上面前方の両端部にはそれぞれ第１の占有ボタン１４および第２の占有ボタン１６が設けられている。銀行等の金融機関において、図１に示す貨幣処理システム１０が窓口の２人のテラーの間に配置され、２人のテラーにより貨幣処理システム１０の双頭運用が行われる場合には、各テラーは対応する占有ボタン１４、１６を押下することにより、貨幣処理システム１０の占有を行うことができるようになる。
【００２６】
次に、本実施の形態の貨幣処理システム１０における紙幣処理装置２０の構成について図２を用いて説明する。図２は、図１に示す貨幣処理システム１０における紙幣処理装置２０の内部構成を示す構成図である。図２に示すように、紙幣処理装置２０の紙幣入金口２２には搬送部２６が接続されており、紙幣入金口２２に投入された紙幣は図示しない繰出機構によって搬送部２６に１枚ずつ繰り出され、当該搬送部２６により紙幣が１枚ずつ搬送されるようになっている。また、搬送部２６には識別部２８が設けられており、当該搬送部２６により搬送される紙幣は識別部２８によりその金種、真偽、正損、表裏等の識別が行われるようになっている。
【００２７】
また、搬送部２６には紙幣出金口２４、五千円紙幣用集積部３２、出金リジェクト部３４、千円紙幣用集積部３６、一万円紙幣用集積部３８がそれぞれ接続されており、搬送部２６からこれらの紙幣出金口２４、五千円紙幣用集積部３２、出金リジェクト部３４、千円紙幣用集積部３６、一万円紙幣用集積部３８の各々に紙幣を送って集積させることができるようになっている。なお、五千円紙幣用集積部３２は紙幣収納カセット３０内に設けられており、紙幣処理装置２０の前面から紙幣収納カセット３０を引き出すと、操作者は五千円紙幣用集積部３２内にアクセスすることができるようになる。また、この五千円紙幣用集積部３２には、五千円紙幣だけではなく二千円紙幣も集積させることができるようになっている。また、本実施の形態では、五千円紙幣用集積部３２、千円紙幣用集積部３６および一万円紙幣用集積部３８の各々の設置箇所は図２に示すような場所に限定されることはなく、これらの集積部３２、３６、３８に集積されるべき紙幣の金種を他の金種に変更することも可能である。
【００２８】
本実施の形態の紙幣処理装置２０では、図２に示すように、紙幣処理装置２０の奥行き方向における、紙幣処理装置２０の筐体から着脱自在となっている紙幣収納カセット３０よりも奥側に、搬送部２６におけるループ形状の搬送路２６ａが配設されており、このループ形状の搬送路２６ａに識別部２８が設けられている。
【００２９】
また、図２では図示していないが、五千円紙幣用集積部３２、千円紙幣用集積部３６および一万円紙幣用集積部３８の上方にはそれぞれ一時保留部が各集積部３２、３６、３８に対応して設けられており、搬送部２６から各一時保留部に紙幣が搬送されてこれらの一時保留部で紙幣が一時的に保留され、その後入金確定の指令が紙幣処理装置２０に与えられることにより各一時保留部から対応する集積部３２、３６、３８に紙幣が送られるようになっている。なお、各一時保留部に紙幣が一時的に保留された後、入金確定の指令ではなく返却の指令が紙幣処理装置２０に与えられると、各一時保留部から搬送部２６を経て紙幣出金口２４に紙幣が戻されるようになっている。
【００３０】
また、五千円紙幣用集積部３２、千円紙幣用集積部３６および一万円紙幣用集積部３８にはそれぞれ繰出機構（図示せず）が設けられており、これらの五千円紙幣用集積部３２、千円紙幣用集積部３６および一万円紙幣用集積部３８に集積された紙幣を当該繰出機構により搬送部２６に１枚ずつ繰り出すことができるようになっている。また、紙幣処理装置２０の前面における出金リジェクト部３４の設置箇所には扉が設けられており、権限を有する操作者が鍵等によりこの扉を開くことにより出金リジェクト部３４の内部にアクセスすることができるようになっている。
【００３１】
本実施の形態の紙幣処理装置２０では、紙幣入金口２２に投入された紙幣は、後述する紙幣繰出機構４０により、その長手方向と平行な方向に沿って搬送部２６に１枚ずつ繰り出されるようになっている。また、搬送部２６は、紙幣の長手方向と平行な方向に沿って当該紙幣を１枚ずつ搬送するようになっている。このことにより、紙幣処理装置２０の幅の大きさをより一層小さくすることができる。なお、紙幣繰出機構４０による紙幣の繰出方向や搬送部２６による紙幣の搬送方向はこのような態様に限定されることはなく、紙幣繰出機構４０が、紙幣の短手方向と平行な方向に沿って当該紙幣を搬送部２６に１枚ずつ繰り出したり、搬送部２６が、紙幣の短手方向と平行な方向に沿って当該紙幣を１枚ずつ搬送したりするようになっていてもよい。
【００３２】
次に、本実施の形態による貨幣処理システム１０の制御系の構成について図１２を用いて説明する。図１２に示すように、貨幣処理システム１０には、当該貨幣処理システム１０の各構成部材を制御するための本体制御部９０が設けられている。また、本体制御部９０には、紙幣処理装置２０の各構成部材を制御するための紙幣制御部９１および硬貨処理装置８０の各構成部材を制御するための硬貨制御部９２がそれぞれ通信可能に接続されている。ここで、紙幣制御部９１には、搬送部２６、識別部２８、集積部３２、３６、３８、出金リジェクト部３４、紙幣繰出機構４０がそれぞれ通信可能に接続されており、当該紙幣制御部９１は搬送部２６、識別部２８、集積部３２、３６、３８、出金リジェクト部３４、紙幣繰出機構４０等の各構成部材を制御するようになっている。また、硬貨制御部９２には、硬貨入金口８２に投入された硬貨を硬貨処理装置８０の筐体内に１枚ずつ繰り出すための硬貨繰出機構８３等の、硬貨処理装置８０各処理部が通信可能に接続されており、当該硬貨制御部９２は硬貨処理装置８０の各構成部材を制御するようになっている。
【００３３】
また、本体制御部９０には、操作表示部９４、記憶部９６、通信インターフェース部９８等がそれぞれ通信可能に接続されている。操作表示部９４は、例えば貨幣処理システム１０の筐体１２の上面に設けられたタッチパネル等からなり、紙幣処理装置２０や硬貨処理装置８０における紙幣や硬貨の処理状況や在高に係る情報が操作表示部９４に表示されるようになっている。また、操作者は操作表示部９４により本体制御部９０に対して様々な情報を入力することができるようになっている。また、記憶部９６には、紙幣処理装置２０や硬貨処理装置８０における紙幣や硬貨の処理状況や在高に係る情報が記憶されるようになっている。また、通信インターフェース部９８は、貨幣処理システム１０とは別に設けられた上位端末等の外部装置に対して信号の送受信を行うことができるようになっている。
【００３４】
次に、図２に示す紙幣処理装置２０における紙幣入金口２２の構成の詳細について図３乃至図１０を用いて説明する。なお、図３乃至図１０において、紙幣入金口２２に投入された紙幣を参照符号Ｐで示している。
【００３５】
上述したように、紙幣入金口２２には、紙幣処理装置２０の筐体の外部から内部に紙幣を１枚ずつ繰り出すための紙幣繰出機構４０が設けられている。ここで、図３に示すように、紙幣繰出機構４０は、繰り出されるべき紙幣が載置される載置部４８と、載置部４８に載置された紙幣を紙幣処理装置２０の筐体の内部に繰り出す繰出部としての繰出ベルト４２と、繰出ベルト４２により繰り出された紙幣を１枚ずつに分離する分離部としての逆転ローラ４４とを有している。ここで、載置部４８は、紙幣が束状態で投入される紙幣投入口４１の底面４６から上方に突出するよう設けられた左右一対の突起形状のものからなる。このような載置部４８の構成の詳細については後述する。
【００３６】
図３等に示すように、繰出ベルト４２は無端状の循環ベルトからなり、当該繰出ベルト４２は複数のプーリ４２ａに張架されている。また、複数のプーリ４２ａのうちある一つのプーリ４２ａには駆動モータ４３（図１２参照）が接続されており、当該駆動モータ４３によりこの駆動モータ４３に接続されたプーリ４２ａが回転駆動されることによって繰出ベルト４２は図３における矢印方向に循環移動するようになっている。このような繰出ベルト４２により、載置部４８に積層状態で載置された複数の紙幣のうち最下層に位置する紙幣が当該繰出ベルト４２との間で働く摩擦力により図３における右方向に繰り出されるようになる。
【００３７】
繰出ベルト４２により繰り出された紙幣を１枚ずつに分離する分離部としての逆転ローラ４４は、繰出ベルト４２による紙幣の繰出方向とは逆方向（すなわち、図３における時計回りの方向）に回転するようになっている。このような逆転ローラ４４が設けられていることにより、載置部４８に積層状態で載置された複数の紙幣のうち２枚以上の紙幣が繰出ベルト４２により同時に繰り出されてしまった場合でも、１枚の紙幣しか繰出ベルト４２と逆転ローラ４４との間を通過することができないため、繰出ベルト４２により繰り出された紙幣を１枚ずつに分離することができるようになる。
【００３８】
図５および図６に示すように、載置部４８は、紙幣繰出機構４０により繰り出されるべき紙幣の幅方向に沿って並ぶよう左右一対設けられている。また、左右一対の載置部４８の各々は、紙幣が束状態で投入される紙幣投入口４１の底面４６から上方に突出するよう設けられたものからなり、各載置部４８は紙幣繰出機構４０を側方から見たときに頂点が上を向くような三角形形状となっている（図３および図４参照）。ここで、図３や図４に示すように、各載置部４８は、紙幣繰出機構４０により繰り出されるべき紙幣が載置されたときに紙幣の繰出方向における当該紙幣の後端縁の近傍の箇所に接するようになっている。これらの事項により、各載置部４８の三角形形状の頂点部分が、当該各載置部４８に載置された紙幣の下方の面の一部分に接するようになる。また、図５および図６に示すように、左右一対の載置部４８の各々は、紙幣繰出機構４０により繰り出されるべき紙幣が載置されたときに当該紙幣の両端縁の近傍の箇所に接するようになっている。
【００３９】
このような構成の左右一対の載置部４８が紙幣繰出機構４０に設けられていることにより、操作者によって紙幣入金口２２に紙幣の束が投入される際に、この紙幣の束に硬貨やクリップ等の異物が挟まれていた場合において、載置部４８に積層状態で載置された複数の紙幣が１枚ずつ繰出ベルト４２により紙幣処理装置２０の筐体の内部に順次繰り出される際に、紙幣の間に挟まれていた異物は載置部４８が設けられていない箇所に落下するようになり、異物を取り除かなくても繰出ベルト４２による紙幣の繰出動作を続行することができるようになる。具体的には、紙幣の間に挟まれていた異物は、紙幣投入口４１の底面４６や、この紙幣投入口４１の底面４６に設けられた後述する凹部４７（図６参照）に集積されるようになる。
【００４０】
本実施の形態では、左右一対の載置部４８は、少なくとも硬貨の直径よりも大きな距離だけ隔てて設けられている。このことにより、操作者によって紙幣入金口２２に投入された紙幣の束に硬貨が挟まれていた場合でも、載置部４８に載置された紙幣が繰出ベルト４２により順次繰り出される際にこの硬貨を一対の載置部４８の間の領域に落とすことができるようになる。また、本実施の形態では、図６に示すように、紙幣投入口４１の底面４６において左右一対の載置部４８の間の箇所には凹部４７が形成されており、一対の載置部４８の間の領域に落ちた硬貨等の異物をこの凹部４７に収容させることができるようになっている。このような凹部４７は、載置部４８に載置された紙幣から落下した異物を受けるための異物受け部として機能するようになっている。
【００４１】
また、本実施の形態では、図３に示すように、載置部４８は、当該載置部４８に載置された紙幣の先端縁の近傍の箇所を、循環ベルトからなる繰出ベルト４２に接近または当接させるよう当該紙幣の後端縁の近傍の箇所を先端縁よりも上方に持ち上げるような形状となっている。このことにより、繰出ベルト４２に接触する紙幣の先端縁の近傍の面積を大きくすることができるため、載置部４８の設置を省略して紙幣投入口４１の底面４６に紙幣を直接載置する場合と比較して、繰出ベルト４２による繰出力（送出力）を最下層の紙幣に効率良く与えることができるようになり、静電気を帯びた紙幣の束や湿った紙幣の束が紙幣投入口４１に投入されて載置部４８に載置された場合でも、当該紙幣を繰出ベルト４２によって確実に紙幣処理装置２０の筐体の内部に繰り出すことができるようになる。
【００４２】
また、本実施の形態では、紙幣投入口４１の底面４６や凹部４７には、載置部４８に載置された紙幣から落下した異物を検知するための磁気センサ等の異物検知部４９（図１２参照）が設けられている。このような異物検知部４９が設けられていることにより、載置部４８に載置された紙幣が繰出ベルト４２により順次繰り出される際に、紙幣の間に挟まれていた異物が当該紙幣から落下して紙幣投入口４１の底面４６や凹部４７に集積されたときにこの異物を検知することができるようになる。
【００４３】
また、本実施の形態では、載置部４８に載置された紙幣から落下した異物が異物検知部４９により検知されると、このことが操作表示部９４に表示されるようになっている。操作者は、操作表示部９４に表示された異物に係る情報を目で確認することにより、紙幣投入口４１の底面４６や凹部４７から異物を取り除くことができるようになる。このように、操作表示部９４は、異物検知部４９により異物が検知されたときにこのことを報知するための報知部として機能するようになる。なお、載置部４８に載置された紙幣から落下した異物が異物検知部４９により検知されたときに、このことが操作表示部９４に表示される代わりに、あるいはこのことが操作表示部９４に表示されることに加えて、音声等により操作者に対して聴覚的に報知が行われるようになっていてもよい。
【００４４】
また、図３等に示すように、紙幣入金口２２には、載置部４８された紙幣の束を上方から繰出ベルト４２に向かって押圧する押圧板５２、および紙幣投入口４１への紙幣の誤挿入を防止するための誤挿入防止板５６がそれぞれ繰出ベルト４２の上方に設けられている。これらの押圧板５２および誤挿入防止板５６の構成の詳細について図７乃至図１０を用いて説明する。なお、図７は、図３等に示す紙幣繰出機構４０における押圧板５２および誤挿入防止板５６の構成を示す斜視図であり、図８乃至図１０は、図３等に示す紙幣繰出機構４０における繰出ベルト４２、押圧板５２および誤挿入防止板５６の構成を示す側面図である。より詳細には、図８は、載置部４８に載置された紙幣が全て繰出ベルト４２により繰り出された後の状態を示す図であり、図９は、載置部４８に複数の紙幣が積層状態で載置されたときの状態を示す図であり、図１０は、押圧板５２および誤挿入防止板５６が上方の退避位置に退避しているときの状態を示す図である。
【００４５】
図７に示すように、押圧板５２の基端部は軸５４により回転自在に支持されており、当該押圧板５２の先端部により、載置部４８に載置された紙幣の束が繰出ベルト４２に向かって下方に押圧されるようになっている。より詳細には、押圧板５２の基端部における軸５４の周囲には図示しないねじりバネ等の付勢手段が設けられており、当該付勢手段により押圧板５２は軸５４を中心として図３および図４における時計回りの方向に回転する力が常に付勢されるようになっている。また、押圧板５２はビス５２ａにより軸５４に取り付けられており、押圧板５２および軸５４は一体的に回転するようになっている。また、軸５４の端部近傍には、後述する押圧ピン６６により下方から押し上げられる被押圧板５５がビス５５ａにより取り付けられている。また、誤挿入防止板５６の基端部は軸５８により回転自在に支持されており、当該誤挿入防止板５６の先端部が図８に示すように繰出ベルト４２に接近した位置に移動すると、操作者による紙幣投入口４１への紙幣の誤挿入が防止されるようになる。より詳細には、誤挿入防止板５６の基端部における軸５８の周囲には図示しないねじりバネ等の付勢手段が設けられており、当該付勢手段により誤挿入防止板５６は軸５８を中心として図３および図４における反時計回りの方向に回転する力が常に付勢されるようになっている。また、誤挿入防止板５６の両側部には当該誤挿入防止板５６の両側縁からそれぞれ外側に突出する左右一対の突出部材５６ａが設けられており、押圧板５２が軸５４を中心として上方に押し上げられると、当該押圧板５２により各突出部材５６ａが下面側から押し上げられるようになっている。
【００４６】
また、図７に示すように、押圧板５２および誤挿入防止板５６を一体的に上方に押し上げる駆動機構としてソレノイド６０が設けられており、このソレノイド６０は当該ソレノイド６０に接続された第１のリンク部材６１を進退させることができるようになっている。また、第１のリンク部材６１には第２のリンク部材６２が接続されている。具体的には、第２のリンク部材６２は第１のリンク部材６１に対して軸６２ａを中心として回転自在となるよう当該第１のリンク部材６１に接続されている。また、第２のリンク部材６２にはローラ６４が回転自在に設けられており、当該ローラ６４は押圧板５２の上面に載せられるようになっている。また、第２のリンク部材６２には押圧ピン６６が設けられており、当該押圧ピン６６により被押圧板５５が下方から押し上げられるようになっている。より詳細には、ソレノイド６０により第１のリンク部材６１が当該ソレノイド６０側に引かれると、ローラ６４を中心として第２のリンク部材６２が図７における時計回りの方向に回転し、この第２のリンク部材５６２に取り付けられた押圧ピン６６が上方に移動することにより当該押圧ピン６６によって被押圧板５５が押し上げられる。このことにより、軸５４を中心として押圧板５２および軸５４が一体的に回転し、当該押圧板５２の先端部分が上方に押し上げられるようになる。また、上述したように、押圧板５２の先端部分が軸５４を中心として上方に押し上げられると、当該押圧板５２により各突出部材５６ａが下面側から押し上げられるようになり、誤挿入防止板５６は軸５８を中心として回転する。このことにより、誤挿入防止板５６の先端部分が上方に押し上げられるようになる。
【００４７】
貨幣処理システム１０が待機状態にあるときには、図１０に示すように、ソレノイド６０により第１のリンク部材６１が当該ソレノイド６０側に引かれることによって押圧板５２の先端部分が上方に押し上げられるとともに誤挿入防止板５６の先端部分が上方に押し上げられ、よって押圧板５２および誤挿入防止板５６が上方の退避位置に退避している。このことにより、操作者は紙幣入金口２２に紙幣の束を投入することができるようになる。紙幣入金口２２に投入された紙幣の束は、図３に示すように、その最下層の紙幣の先端縁の近傍の箇所が繰出ベルト４２に接触するともに、当該最下層の紙幣の後端縁の近傍の箇所が載置部４８に接触するようになる。その後、紙幣入金口２２に投入された紙幣が繰出ベルト４２により紙幣処理装置２０の筐体の内部に繰り出される際に、ソレノイド６０により第１のリンク部材６１が当該ソレノイド６０から遠ざかる側に押されるようになり、押圧ピン６６によって被押圧板５５が上方に押し上げられることがなくなる。このため、押圧板５２に対してねじりバネ等の付勢手段により軸５４を中心として図３および図４における時計回りの方向に回転する力が付勢され、また、誤挿入防止板５６に対してねじりバネ等の付勢手段により軸５８を中心として図３および図４における反時計回りの方向に回転する力が付勢され、このことにより押圧板５２の先端部および誤挿入防止板５６の先端部はそれぞれ繰出ベルト４２に接近するよう下方に移動する（図９参照）。このことにより、載置部４８に積層状態で載置された複数の紙幣のうち最上層の紙幣の先端縁の近傍の箇所が押圧板５２により繰出ベルト４２側に向かって押圧され、よって繰出ベルト４２による繰出力（送出力）を大きくすることができるため紙幣の繰出動作をより確実に行うことができるようになる。
【００４８】
載置部４８に載置された紙幣が全て繰出ベルト４２により紙幣処理装置２０の筐体の内部に繰り出されると、図８に示すように、押圧板５２の先端部は繰出ベルト４２に接触するとともに誤挿入防止板５６の先端部は繰出ベルト４２の近傍の箇所に位置するようになる。このことにより、操作者が紙幣入金口２２に紙幣を誤挿入してしまうことが防止される。
【００４９】
次に、図２に示す紙幣処理装置２０における紙幣出金口２４の構成の詳細について図１１を用いて説明する。なお、図１１において、紙幣出金口２４から出金されるべき紙幣を参照符号Ｐ１〜Ｐ３で示している。
【００５０】
図１１に示すように、紙幣出金口２４には、紙幣が積層状態で集積される集積繰出機構７０が設けられており、搬送部２６から紙幣出金口２４に送られた紙幣は集積繰出機構７０上に集積されるようになっている。ここで、集積繰出機構７０には複数のローラ７０ａが設けられており、また、集積繰出機構７０の上方にも当該集積繰出機構７０に対向して複数のローラ７４が設けられている。そして、集積繰出機構７０に紙幣が積層状態で集積された後、当該集積繰出機構７０や各ローラ７０ａが上方に移動するとともに各ローラ７４が図１１における反時計回りの方向に回転することにより、集積繰出機構７０に集積された複数の紙幣が各ローラ７４および各ローラ７０ａにより上下から挟まれた状態で案内されながら一括して開口２４ａから紙幣処理装置２０の筐体の外部に排出されるようになっている。
【００５１】
また、紙幣出金口２４における搬送部２６の近傍の箇所には、図１１において時計回りの方向に回転する札叩きゴム７２が設けられている。そして、搬送部２６から紙幣出金口２４に送られた紙幣は、図１１において時計回りの方向に回転する札叩きゴム７２によってその後端縁が叩かれることにより、当該紙幣は図１１における右方向に押されるようになる。このことにより、集積繰出機構７０には、搬送部２６から送られた紙幣の先端縁（すなわち、図１１における右端の端縁）が揃った状態で集積されるようになる。このように、本実施の形態では、札叩きゴム７２は、集積繰出機構７０に集積されるべき紙幣を、当該紙幣の先端縁の位置が揃うように前方向（図１１における右方向）に向かって移動させるよう叩くような位置に設けられている。
【００５２】
本実施の形態では、搬送部２６から紙幣出金口２４に送られた紙幣の長手方向（すなわち、図１１における左右方向）における集積繰出機構７０の長さａは、紙幣処理装置２０により処理される紙幣のうち最もサイズが大きい紙幣（具体的には、例えば一万円紙幣）の長手方向の長さよりも所定の大きさ（例えば、２ｍｍ）だけ大きくなっている。また、集積繰出機構７０に紙幣が集積される集積方向（すなわち、図１１における上下方向）における集積繰出機構７０の長さｂは、紙幣処理装置２０により処理される紙幣のうち最もサイズが大きい紙幣（具体的には、例えば一万円紙幣）の１００枚分の厚みよりも、紙幣の集積空間としての所定の高さ（例えば、１８ｍｍ）だけ大きくなっている。
【００５３】
また、本実施の形態では、紙幣処理装置２０から複数の金種の紙幣が出金される際に、サイズの大きな紙幣から順に搬送部２６から紙幣出金口２４に送られるようになっている。具体的には、紙幣処理装置２０において出金処理が行われる際に千円紙幣、五千円紙幣および一万円紙幣が搬送部２６から紙幣出金口２４に送られる場合には、最初にサイズが最も大きい一万円紙幣（図１１において参照符号Ｐ１で表示）が集積繰出機構７０上に積層状態で載置され、次に、千円紙幣よりもサイズが大きい五千円紙幣（図１１において参照符号Ｐ２で表示）が集積繰出機構７０上に積層状態で載置され、最後にサイズが最も小さい千円紙幣（図１１において参照符号Ｐ３で表示）が集積繰出機構７０上に積層状態で載置される。また、搬送部２６から紙幣出金口２４に送られる紙幣は、図１１において時計回りの方向に回転する札叩きゴム７２によりその後端縁が叩かれることにより、集積繰出機構７０には、搬送部２６から送られた紙幣の先端縁が揃った状態で集積されるようになる。ここで、集積繰出機構７０において、集積される紙幣の位置が高くなるほど、札叩きゴム７２により前方へ送り出される力が大きくなるため、サイズが大きな紙幣を先に集積繰出機構７０に集積させ、サイズの小さな紙幣を後で集積繰出機構７０に集積させることで、集積繰出機構７０上において複数の金種の紙幣における長手方向の長さの差異を吸収して各金種の先端縁を確実に揃えることができるようになる。このようにして、集積繰出機構７０に集積された複数の紙幣が一括して開口２４ａから紙幣処理装置２０の筐体の外部に排出される際に、各金種の紙幣の先端縁が揃った状態で開口２４ａから排出されるため、操作者は紙幣出金口２４の開口２４ａから紙幣の束を取りやすくなる。
【００５４】
以上のような構成からなる本実施の形態の紙幣繰出機構４０およびこのような紙幣繰出機構４０を備えた紙幣処理装置２０によれば、繰り出されるべき紙幣が積層状態で載置される載置部４８は、繰り出されるべき紙幣が載置されたときに当該紙幣の下方の面の一部分に接するよう構成されている。このことにより、紙幣処理装置２０の筐体の外部から内部に繰り出されるべき紙幣が載置部４８に積層状態で載置されたときに当該紙幣の間に挟まれていた硬貨やクリップ等の異物は載置部４８が設けられていない箇所に落下するようになり、このため異物を取り除かなくても紙幣の繰出動作を続行することができるため処理時間を短縮することができる。
【００５５】
また、本実施の形態の紙幣繰出機構４０においては、上述したように、載置部４８は、繰り出されるべき紙幣が載置されたときに繰出ベルト４２による紙幣の繰出方向における当該紙幣の後端縁の近傍の箇所に接するよう構成されている。また、載置部４８は、繰り出されるべき紙幣が載置されたときに当該紙幣の幅方向における一部分に接するよう構成されている。より詳細には、載置部４８は、繰り出されるべき紙幣が載置されたときに当該紙幣の幅方向における両端縁の近傍の箇所にそれぞれ接するよう少なくとも２つ設けられている。この場合に、少なくとも２つの載置部４８は、少なくとも硬貨の直径よりも大きな距離だけ隔てて設けられている。また、載置部４８は、紙幣が投入される紙幣投入口４１の底面４６から上方に突出するよう構成されている。
【００５６】
また、本実施の形態の紙幣繰出機構４０においては、上述したように、載置部４８の下方には、当該載置部４８に載置された紙幣から落下した異物を受けるための異物受け部として凹部４７が設けられている。
【００５７】
また、本実施の形態の紙幣繰出機構４０においては、上述したように、載置部４８に載置された紙幣から落下した異物を検知するための磁気センサ等の異物検知部４９が設けられている。具体的には、このような異物検知部４９は、紙幣投入口４１の底面４６や凹部４７に設けられている。また、異物検知部４９により異物が検知されたときにこのことを報知するための報知部として、操作表示部９４が設けられている。
【００５８】
また、本実施の形態の紙幣繰出機構４０においては、上述したように、載置部４８は、当該載置部４８に載置された紙幣の先端縁の近傍の箇所を前記繰出ベルト４２に接近または当接させるよう当該紙幣の後端縁の近傍の箇所を持ち上げるよう構成されている。この場合には、繰出ベルト４２に接触する紙幣の先端縁の近傍の面積を大きくすることができるため、繰出ベルト４２による繰出力（送出力）を最下層の紙幣に効率良く与えることができるようになり、静電気を帯びた紙幣の束や湿った紙幣の束が紙幣投入口４１に投入されて載置部４８に載置された場合でも、当該紙幣を繰出ベルト４２によって確実に紙幣処理装置２０の筐体の内部に繰り出すことができるようになる。
【００５９】
なお、本実施の形態による紙幣処理装置２０やこのような紙幣処理装置２０に設けられた紙幣繰出機構４０は、上述したような態様に限定されることはなく、様々な変更を加えることができる。
【００６０】
例えば、紙幣処理装置２０の紙幣入金口２２において、紙幣が投入される紙幣投入口４１の底面４６には、当該底面４６から異物を下方に落下させるシュートが設けられており、このシュートの下端部の近傍に、異物受け皿等の異物受け部を配設してもよい。この場合、異物受け皿等の異物受け部を、紙幣処理装置２０の筐体の内部から外部に取り外し自在に設置してもよい。この場合には、載置部４８に載置された紙幣から落下した異物はシュートを介して異物受け皿等の異物受け部に送られるようになり、この異物受け部を紙幣処理装置２０の筐体の内部から外部に取り外すことにより、異物を簡単に除去することができるようになる。また、この場合には、載置部４８に載置された紙幣から落下した異物を検知するための磁気センサ等の異物検知部４９を、シュートの下端部の近傍に設けられた異物受け皿等の異物受け部に設けてもよい。
【００６１】
また、別の変形例に係る紙幣処理装置２０において、紙幣入金口２２に投入された紙幣が繰出ベルト４２により紙幣処理装置２０の筐体の内部に全て繰り出された後、繰出ベルト４２は紙幣の繰出方向とは逆方向（すなわち、図３や図４における矢印で示す方向とは逆の方向）に回転するようになっていてもよい。この場合には、紙幣処理装置２０の紙幣入金口２２に投入された紙幣が紙幣処理装置２０の筐体の内部に全て繰り出された後、繰出ベルト４２上に硬貨やクリップ等の異物が残留してしまった場合でも、繰出ベルト４２上の異物を紙幣投入口４１の底面４６や凹部４７に送ることができるため、紙幣入金口２２から当該異物を取り除くことができるようになる。
【００６２】
また、更に別の変形例に係る紙幣処理装置２０において、紙幣入金口２２に投入された紙幣が繰出ベルト４２により紙幣処理装置２０の筐体の内部に繰り出されている最中に、紙幣処理装置２０において紙幣の詰まり（ジャム）等のエラーが発生したときに、繰出ベルト４２は紙幣の繰出方向とは逆方向に回転するようになっていてもよい。この場合には、紙幣処理装置２０において紙幣の詰まり（ジャム）等のエラーが発生したときに、繰出ベルト４２上に硬貨やクリップ等の異物が残留してしまった場合でも、繰出ベルト４２上の異物を紙幣投入口４１の底面４６や凹部４７に送ることができるため、紙幣入金口２２から当該異物を取り除くことができるようになる。
【００６３】
また、本発明による紙葉類繰出機構や紙葉類処理装置は、紙幣の繰り出しを行う紙幣繰出機構４０や紙幣の処理を行う紙幣処理装置２０に限定されることはない。本発明による紙葉類繰出機構や紙葉類処理装置として、紙幣以外の紙葉類（例えば、商品券や小切手等）の繰り出しを行うものや、紙幣以外の紙葉類の処理を行うものが用いられてもよい。
【符号の説明】
【００６４】
１０    貨幣処理システム
１２    筐体
１４    第１の占有ボタン
１６    第２の占有ボタン
２０    紙幣処理装置
２２    紙幣入金口
２４    紙幣出金口
２４ａ  開口
２６    搬送部
２６ａ  搬送路
２８    識別部
３０    紙幣収納カセット
３２    五千円紙幣用集積部
３４    出金リジェクト部
３６    千円紙幣用集積部
３８    一万円紙幣用集積部
４０    紙幣繰出機構
４１    紙幣投入口
４２    繰出ベルト
４２ａ  プーリ
４３    駆動モータ
４４    逆転ローラ
４６    底面
４７    凹部
４８    載置部
４９    異物検知部
５２    押圧板
５２ａ  ビス
５４    軸
５６    誤挿入防止板
５６ａ  突出部材
５８    軸
６０    ソレノイド
６１    第１のリンク部材
６２    第２のリンク部材
６２ａ  軸
６４    ローラ
６６    押圧ピン
７０    集積繰出機構
７０ａ  ローラ
７２    ゴム
７４    ローラ
８０    硬貨処理装置
８２    硬貨入金口
８３    硬貨繰出機構
８４    硬貨出金ボックス
９０    本体制御部
９１    紙幣制御部
９２    硬貨制御部
９４    操作表示部
９６    記憶部
９８    通信インターフェース部
【図１】
0006532662.tif 000002
【図２】
0006532662.tif 000003
【図３】
0006532662.tif 000004
【図４】
0006532662.tif 000005
【図５】
0006532662.tif 000006
【図６】
0006532662.tif 000007
【図７】
0006532662.tif 000008
【図８】
0006532662.tif 000009
【図９】
0006532662.tif 000010
【図１０】
0006532662.tif 000011
【図１１】
0006532662.tif 000012
【図１２】
0006532662.tif 000013